(57)【要約】【課題】この発明は、自動販売機が販売する商品に関連した販売促進情報の表示及び変更が簡単且つ容易に行え、販売促進に要する費用及びコストの低減を図ることができる販売促進シートの取り付け構造の提供を目的とする。【解決手段】自動販売機Ａの見本陳列部Ａａに設置される幅広型見本１の表面に、販売促進する商品に関連した販売促進情報が印刷された販売促進シート８が着脱自在に取り付けられている。つまり、幅広型見本１の表面は販売促進シート８で覆われることになるが、見本体２に形成された３個の見本部４が販売促進シート８の窓部８ａから露出されるので、その露出された見本部４が目立つことになる。これにより、見本部４と対応する注目度の高い商品が積極的に選択及び購入されやすく、商品の販売促進、売上向上を図ることができる。【選択図】図２
2010218512.tif 000002
【特許請求の範囲】
【請求項１】
自動販売機の見本陳列部に設置される見本体の表面に、該自動販売機が販売する商品の前側半分と対応する縦断半割り形状の見本部が形成された幅広型見本において、
前記見本体の外面に、前記商品に関連する販売促進情報が印刷された販売促進シートを着脱自在に取り付けた
販売促進シートの取り付け構造。
【請求項２】
前記販売促進シートに、前記見本部が露出される窓部を形成した
請求項１に記載の販売促進シートの取り付け構造。
【請求項３】
前記見本体又は前記販売促進シートの一方の上縁部に、他方の上縁部に係止される係止片を形成した
請求項１又は２に記載の販売促進シートの取り付け構造。
【請求項４】
前記見本体と前記販売促進シートの対向面の一方にスリットを形成し、該対向面の他方に前記スリットに係止される差込み片を形成した
請求項１又は２記載の販売促進シートの取り付け構造。
【請求項５】
前記見本体と前記販売促進シートの対向面の一方に突起を形成し、該対向面の他方に前記突起が係合される孔部を形成した
請求項１又は２に記載の販売促進シートの取り付け構造。
【請求項６】
前記見本体と前記販売促進シートの対向面の一方に凹部を形成し、該対向面の他方に前記凹部に係合される凸部を形成した
請求項１又は２に記載の販売促進シートの取り付け構造。
【請求項７】
前記見本体の外面に切欠き部を形成し、前記販売促進シートの端部に前記切欠き部に係合される係止片を形成した
請求項１又は２に記載の販売促進シートの取り付け構造。
【請求項８】
前記見本体と前記販売促進シートの対向面の一方に孔部を形成し、該対向面の他方に前記孔部に係止されるフックを形成した
請求項１又は２に記載の販売促進シートの取り付け構造。
【請求項９】
前記見本体と前記販売促進シートの対向面の一方に、該見本体と販売促進シートが互いに貼着固定される粘着手段を設けた
請求項１又は２に記載の販売促進シートの取り付け構造。
【発明の詳細な説明】
【技術分野】
【０００１】
この発明は、例えば自動販売機が販売する商品の選択購入、販売促進、宣伝広告、注目度等を高めるために用いられる販売促進シートの取り付け構造に関する。
【背景技術】
【０００２】
従来、前記商品の見本を陳列する商品見本体としては、例えば自動販売機の装着台に取り付けられる本体の表面に、半割状の商品見本部と宣伝広告表示部を備えた特許文献１の自動販売機用商品見本体がある。
【０００３】
しかし、商品見本体の表面には、販売促進する商品に関連したキャッチコピーのような宣伝広告文や宣伝広告用の図柄などが印刷されているが、その広告文や図柄を変更する場合、装着台に設置された商品見本体を、新しい広告文や図柄が印刷された商品見本体に取り替えなければならず、商品見本体の取り替え作業に手間及び時間が掛かる。また、広告文や図柄を変更する度に、新しい商品見本体を製作しなければならず、販売促進に要する費用負担が大きく、コストが掛かる。また、新商品に入れ替わるまで、入替中が表示された表示物を装着台に取り付けておくこともあるが、他の商品見本体を目立たせる効果や販売促進する効果が得られない。
【先行技術文献】
【特許文献】
【０００４】
【特許文献１】特開２００６−２０９３０７
【発明の概要】
【発明が解決しようとする課題】
【０００５】
この発明は、自動販売機が販売する商品に関連した販売促進情報の表示及び変更が簡単且つ容易に行え、販売促進に要する費用及びコストの低減を図ることができる販売促進シートの取り付け構造を提供することを目的とする。
【課題を解決するための手段】
【０００６】
この発明は、自動販売機の見本陳列部に設置される見本体の表面に、該自動販売機が販売する商品の前側半分と対応する縦断半割り形状の見本部が形成された幅広型見本において、前記見本体の外面に、前記商品に関連する販売促進情報が印刷された販売促進シートを着脱自在に取り付けた販売促進シートの取り付け構造であることを特徴とする。
【０００７】
この発明の態様として、前記販売促進シートに、前記見本部が露出される窓部を形成することができる。
【０００８】
また、この発明の態様として、前記見本体又は前記販売促進シートの一方の上縁部に、他方の上縁部に係止される係止片を形成することができる。
【０００９】
また、この発明の態様として、前記見本体と前記販売促進シートの対向面の一方にスリットを形成し、該対向面の他方に前記スリットに係止される差込み片を形成することができる。
【００１０】
また、この発明の態様として、前記見本体と前記販売促進シートの対向面の一方に突起を形成し、該対向面の他方に前記突起が係合される孔部を形成することができる。
【００１１】
また、この発明の態様として、前記見本体と前記販売促進シートの対向面の一方に凹部を形成し、該対向面の他方に前記凹部に係合される凸部を形成することができる。
【００１２】
また、この発明の態様として、前記見本体の外面に切欠き部を形成し、前記販売促進シートの端部に前記切欠き部に係合される係止片を形成することができる。
【００１３】
また、この発明の態様として、前記見本体と前記販売促進シートの対向面の一方に孔部を形成し、該対向面の他方に前記孔部に係止されるフックを形成することができる。
【００１４】
また、この発明の態様として、前記見本体と前記販売促進シートの対向面の一方に、該見本体と販売促進シートが互いに貼着固定される粘着手段を設けることができる。
【００１５】
前記幅広型見本の外面は、例えば見本体の表面、裏面、側面、平面等で構成することができる。また、幅広型見本は、例えば真空成形、加圧成形、ブロー成形、押出し成形等の成形方法で成形することができる。
【００１６】
また、幅広型見本及び販売促進シートは、例えばポリアセタール、ポリプロピレン、ポリエチレン、ポリエステル、ポリカーボネード、アクリル等の透光性を有する合成樹脂、或いは、透明な合成樹脂や着色された半透明な合成樹脂で構成することができる。
【００１７】
また、見本部は、自動販売機が販売する商品の一例として、例えば缶型、瓶型、ボトル型、箱型等の商品と酷似する外観及び意匠に形成された縦断半割り形状の見本で構成することができる。
【００１８】
また、販売促進シートは、透光性及び柔軟性を有する合成樹脂製のシートで構成することができる。また、販売促進シートの裏面又は表面には、例えば新発売、キャンペーン中、キャッチコピー、メッセージなどの宣伝広告文、或いは、宣伝広告用の商標、文字、模様、図柄、入替中等の販売促進する商品に関連した販売促進情報が印刷されているが、例えば茶葉、茶畑、花、樹木などの植物、或いは、空、海、山、川等の自然、或いは、犬、猫、鳥、人などの動物等を印刷してもよい。また、粘着手段は、例えば両面粘着テープ、粘着剤等で構成することができる。
【発明の効果】
【００１９】
この発明によれば、自動販売機の見本陳列部に設置される幅広型見本の外面に、該自動販売機が販売する商品に関連した販売促進情報が印刷された販売促進シートを取り付けるだけで、見本陳列部に陳列された他の見本に比べて、販売促進シートが装着された幅広型見本の方が目立つことになる。これにより、注目度の高い商品が積極的に選択及び購入されやすく、商品の販売促進、売上向上を図ることができる。また、販売促進シートを装着するだけであるので、商品に関連した販売促進情報の表示及び変更が簡単且つ容易に行える。また、幅広見本全体を交換又は製作する必要がなく、販売促進に要する費用及びコストの低減を図ることができる。
【図面の簡単な説明】
【００２０】
【図１】幅広型見本が設置された自動販売機を示す正面図。
【図２】販売促進シートが取り付けられた幅広型見本を示す斜視図。
【図３】販売促進シートが取り付けられた幅広型見本を示す正面図。
【図４】販売促進シートの取り付け構造を示す中央縦断側面図。
【図５】スリットに係止片を係止する他の取り付け構造を示す斜視図。
【図６】突起と孔部を係合する他の取り付け構造を示す斜視図。
【図７】凹部と凸部を係合する他の取り付け構造を示す斜視図。
【図８】切欠き部に係止片を係合する他の取り付け構造を示す斜視図。
【図９】孔部にフックを係止する他の取り付け構造を示す斜視図。
【図１０】両面粘着テープで貼着する他の取り付け構造を示す斜視図。
【図１１】弧状、帯状、旗状の販売促進シートの取り付け例を示す斜視図。
【図１２】半円形、へ字形の販売促進シートの取り付け例を示す斜視図。
【図１３】フラット形、丸形の販売促進シートの取り付け例を示す斜視図。
【図１４】矩形見本を備えた幅広側見本に対する取り付け例を示す斜視図。
【図１５】矩形見本覆い型の販売促進シートの取り付け例を示す斜視図。
【図１６】矩形見本側湾曲型の販売促進シートの取り付け例を示す斜視図。
【図１７】矩形見本側装着型の販売促進シートの取り付けを示す斜視図。
【発明を実施するための形態】
【実施例】
【００２１】
図１は、幅広型見本１が設置された自動販売機Ａを示す正面図、図２は、販売促進シート８が取り付けられた幅広型見本１を示す斜視図、図３は、販売促進シート８が取り付けられた幅広型見本１を示す正面図、図４は、販売促進シート８の取り付け構造を示す中央縦断側面図である。
【００２２】
本発明の販売促進シート８は、自動販売機Ａの見本陳列部Ａａ内に設置された幅広型見本１の表面に取り付けられ、該自動販売機Ａが販売する商品の選択購入、販売促進、宣伝効果、注目度等を高める際にＰＯＰ広告として用いられるものである。
【００２３】
販売促進シート８が取り付けられる幅広型見本１は、商品の販売イメージと対応する模様が印刷された透光性を有する合成樹脂製シートで形成され、図示しない真空成形装置によって真空成形されている。  
また、見本陳列部Ａａに設置される見本体２の表面には、該自動販売機Ａが販売する商品の前側半分と対応する縦断半割り形状の見本部４が３個形成されている。また、幅広型見本１の外面である表面には、後述する販売促進シート８が着脱自在に取り付けられる。
【００２４】
見本体２は、陳列パネルＡｂ上に設置される３個の見本Ｂを並列配置してなる横幅より幅広に形成され、該陳列パネルＡｂ上に設置が許容される奥行及び高さに形成されている。また、見本体２の表面には、自然の風景を模した山形の張出し部３が見本体２の表面より前方へ張り出した状態に形成されている（図４参照）。
【００２５】
張出し部３の中央表面には、自動販売機Ａが販売する缶型の商品と酷似する外観及び意匠に形成された縦断半割り形状の見本部４が３個配列されている。また、見本部４は、張出し部３の表面より前方へ張り出した状態に形成されている。また、見本部４の表面には、自動販売機Ａが販売する商品に関連した販売促進情報（例えば商標、文字、模様、図柄、色彩等）が印刷されている。
【００２６】
張出し部３の下部表面には、該見本体２と同一幅の台座部５が幅方向に形成されている。また、台座部５は、陳列パネルＡｂ上に設置が許容される前後幅に形成され、見本部４の表面より前方へ張り出した状態に形成されている。
【００２７】
見本体２の中央表面には、縦断半割り形状の缶型を有する見本部４が縦向きに配置されている。また、見本体２の左右表面には、中央表面の見本部４を基準として、一対の見本部４が正面から見て左右均等に傾いた状態に配置されている。これにより、３個の見本部４が正面から見て扇状に連なるように配列されている。
【００２８】
前記台座部５の中央下面には、図３、図４に示すように、陳列パネルＡｂの陳列面に開口された平面視丸形状の開口部Ａｃに対し係合される横断面視半円形状の第１挿入部６が形成されている。また、第１挿入部６を中心とする台座部５の左右下面には、第１挿入部６が係合される開口部Ａｃの左右に開口された開口部Ａｃに対し係合される横断面視台形状の第２挿入部７が形成されている。
【００２９】
第１挿入部６の下端部外周面には、開口部Ａｃの下面側周縁部に係止される凸状の鍔部６ａが周方向に連続して形成されている。また、鍔部６ａより上方の外周面には、開口部Ａｃの前側周縁部が係止される凹状の溝部６ｂが周方向に連続して形成されている。
【００３０】
第１挿入部６の前側外周面には、開口部Ａｃの前側周縁部に形成された凹状の切欠き部Ａｄに係止される凸状の突起６ｃが形成されている。また、第１挿入部６の両側外周面には、開口部Ａｃの両側周縁部に形成された凹状の切欠き部Ａｅに係止される凸状の突起６ｄが形成されている。
【００３１】
つまり、見本体２の第１挿入部６を陳列パネルＡｂの開口部Ａｃに上方から挿入し、左右の第２挿入部７を左右の開口部Ａｃにそれぞれ挿入する。また、第１挿入部６の鍔部６ａを開口部Ａｃの周縁部に係止し、第１挿入部６の溝部６ｂを開口部Ａｃの周縁部に係止して抜止めする。また、第１挿入部６の突起６ｃ，６ｄと開口部Ａｃの切欠き部Ａｄ，Ａｅを合致して位置決めする。これにより、幅広型見本１が、見本陳列部Ａａ内の陳列パネルＡｂの上面に対し略鉛直に起立した状態に設置固定される。
【００３２】
販売促進シート８は、透光性及び柔軟性を有する合成樹脂製シートで構成され、幅広型見本１の表面全体が覆われる大きさ及び形状に形成されている。また、販売促進シート８の表面には、前記商品に関連した販売促進情報（例えば新発売、キャンペーン中、キャッチコピー、メッセージなどの宣伝広告文、或いは、宣伝広告用の商標、文字、模様、図柄、入替中等）が印刷されている。
【００３３】
販売促進シート８の中央面には、正面から見て横長楕円形状の窓部８ａが開口されている。窓部８ａは、見本体２に形成された３個の見本部４が全て露出される大きさ及び形状に形成されている。
【００３４】
販売促進シート８の上縁部には、見本体２の上端側が覆われる方向及び角度に折り曲げられる支持部８ｂが折り曲げ自在に形成されている。また、支持部８ｂには、見本体２の上端側後縁部に係止される方向及び角度に折り曲げられる係止片８ｃが形成されている。
【００３５】
係止片８ｃは、販売促進シート８の表面から見てＵ字状に形成されている。また、係止片８ｃの基端部には、見本体２の上端側後縁部に係止される方向及び角度に折り曲げが許容される折り目８ｄが形成されている。
【００３６】
また、透明に形成された合成樹脂製シートの裏面側に、前記販売促進情報を印刷しておけば、該販売促進情報の表面が合成樹脂製シートによって保護される。これにより、販売促進情報が剥離又は傷付くのを防止することができる。
【００３７】
前記幅広型見本１の表面に販売促進シート８を取り付ける場合、販売促進シート８の支持部８ｂを後側へ折り曲げ、支持部８ｂの係止片８ｃを折り目８ｄに沿って裏面側へ折り曲げる。
【００３８】
この後、販売促進シート８の支持部８ｂを見本体２の上端側に覆い被せるとともに、支持部８ｂの係止片８ｃを見本体２の上端側後縁部に後側から係止する。これにより、幅広型見本１の表面に沿って販売促進シート８が垂れ下げられ、幅広型見本１の表面全体が覆われた状態に取り付けられる。
【００３９】
つまり、幅広型見本１の表面は販売促進シート８で覆われることになるが、見本体２に形成された３個の見本部４が販売促進シート８の窓部８ａから露出されるので、その露出された見本部４が目立つことになる。これにより、注目度の高い商品が積極的に選択及び購入されやすく、商品の販売促進、売上向上を図ることができる。
【００４０】
以上のように、自動販売機Ａの見本陳列部Ａａに設置される幅広型見本１の表面に、該自動販売機Ａが販売する商品に関連した販売促進情報が印刷された販売促進シート８を取り付けるだけで、見本陳列部Ａａに陳列された他の見本Ｂに比べて、販売促進シート８が装着された幅広型見本１の方が目立つことになる。これにより、注目度の高い商品が積極的に選択及び購入されやすく、商品の販売促進、売上向上を図ることができる。また、販売促進シート８を取り付けるだけであるので、商品に関連した販売促進情報の表示及び変更が簡単且つ容易に行える。また、幅広見本１全体を交換する必要がなく、販売促進に要する費用及びコストの低減を図ることができる。
【００４１】
なお、販売促進シート８の支持部８ｂを裏面側へ折り返して、見本体２の上端側後縁部に係止してもよい。また、見本体２の上縁部に、販売促進シート８の上縁部に係止される係止片を形成するか、見本体２及び販売促進シート８の上縁部に係止片を形成してもよい。また、窓部８ａを、見本体２の中央、左右に配置された一つ又は二つの見本部４が露出される大きさ及び形状、位置に形成してもよい。
【００４２】
図５は、見本体２と販売促進シート８Ａ，８Ｂの対向面の一方に形成された縦長のスリット９ａに、該対向面の他方に形成された差込み片９ｂを係止する他の取り付け構造を示す斜視図である。また、販売促進シート８Ａ，８Ｂは、見本体２の横幅と対応する長さに形成されている。  
本例の販売促進シート８Ａ，８Ｂを幅広型見本１に装着する際、図中のａ部拡大図に示すように、見本体２の両側外面に形成されたスリット９ａに、販売促進シート８Ａ，８Ｂの両側端部に形成された差込み片９ｂを前方から差し込み、スリット９ａが付与する接触抵抗により差込み片９ｂを抜止めする。
【００４３】
スリット９ａと差込み片９ｂの接触抵抗により、幅広型見本１の上部表面には販売促進シート８Ａが前方に張り出した状態に取り付けられ、幅広型見本１の下部表面には販売促進シート８Ｂが前方に張り出した状態に取り付けられるので、前記実施例と略同等の作用及び効果を奏することができる。  
また、差込み片９ｂの内側には、スリット９ａの縁部に係止される突起９ｃが形成されており、差込み片９ｂがスリット９ａに差し込まれた際に、スリット９ａの縁部に対し差込み片９ｂの突起９ｃが係止される。
【００４４】
つまり、突起９ｃの係止力により差込み片９ｂが抜止めされるので、販売促進シート８Ａ，８Ｂの取り付け状態を維持することができる。また、突起９ｃの係止力に抗して、スリット９ａから差込み片９ｂを抜き取れば、販売促進シート８Ａ，８Ｂが簡単に分離されるので、販売促進シート８Ａ，８Ｂの着脱及び交換が容易に行える。  
さらに、スリット９ａに差し込まれた差込み片９ｂを内側へ折り曲げれば、抜止め力が高められるので、販売促進シート８Ａ，８Ｂの取り付け状態を維持することができる。また、差込み片９ｂは、販売促進シート８Ａ，８Ｂを型抜き加工する際に形成されるので、販売促進シート８Ａ，８Ｂの製作が簡単且つ容易に行える。なお、スリット９ａの位置を、見本体２の表面、上面等に変更してもよい。
【００４５】
図６は、見本体２と販売促進シート８Ａ，８Ｂの対向面の一方に形成された突起１０ａに、該対向面の他方に形成された孔部１０ｂを係合する他の取り付け構造を示す斜視図である。  
本例の販売促進シート８Ａ，８Ｂを幅広型見本１に装着する際、図中のｂ部拡大断面図に示すように、見本体２の両側外面に形成された突起１０ａに、販売促進シート８Ａ，８Ｂの両側端部に形成された孔部１０ｂを側方から係合する。
【００４６】
突起１０ａと孔部１０ｂの係合力により、幅広型見本１の上下表面に対し販売促進シート８Ａ，８Ｂが前方に張り出した状態に取り付けられるので、前記実施例と略同等の作用及び効果を奏することができる。
【００４７】
つまり、販売促進シート８Ａ，８Ｂの装着位置が上下に変位することがなく、該装着位置に取り付けられた状態を維持することができる。また、突起１０ａと孔部１０ｂの係合力に抗して、孔部１０ｂから突起１０ａを抜き取れば、販売促進シート８Ａ，８Ｂが簡単に分離されるので、販売促進シート８Ａ，８Ｂの着脱及び交換が容易に行える。なお、販売促進シート８Ａ，８Ｂ側に突起１０ａを形成し、見本体２側に孔部１０ｂを形成してもよい。また、突起１０ａ及び孔部１０ｂの一方を、見本体２の表面、上面等に形成してもよい。
【００４８】
図７は、見本体２と販売促進シート８Ｂ（又は８Ａ）の対向面の一方に凹部１１ａを形成し、該対向面の他方に前記凹部１１ａに係合される凸部１１ｂを形成した他の取り付け構造を示す部分拡大斜視図である。  
本例の販売促進シート８Ｂを幅広型見本１に装着する際、図中のｃ部拡大図に示すように、見本体２の両側外面に形成された凹部１１ａに、販売促進シート８Ｂの両側端部に形成された凸部１１ｂを係合する。
【００４９】
凹部１１ａと凸部１１ｂの係合力により、幅広型見本１の下部表面に対し販売促進シート８Ｂが前方に張り出した状態に取り付けられるので、前記実施例と略同等の作用及び効果を奏することができる。  
また、凹部１１ａと凸部１１ｂの係合力に抗して、凹部１１ａから凸部１１ｂを離脱すれば、販売促進シート８Ｂが簡単に分離されるので、販売促進シート８Ｂの着脱及び交換が容易に行える。
【００５０】
図８は、見本体２の両側外面に形成された切欠き部１２ａに、販売促進シート８Ａ（又は８Ｂ）の両側端部に形成された係止片１２ｂを係合する他の取り付け構造を示す部分拡大斜視図である。  
本例の販売促進シート８Ａを幅広型見本１に取り付ける際、図中のｄ部拡大図に示すように、見本体２に形成された切欠き部１２ａに、販売促進シート８Ａに形成された係止片１２ｂを係合する。
【００５１】
切欠き部１２ａと係止片１２ｂの係合力により、幅広型見本１の上部表面に対し販売促進シート８Ａが前方に張り出した状態に取り付けられるので、前記実施例と略同等の作用及び効果を奏することができる。また、販売促進シート８Ａの装着位置が上下に変位することがなく、該装着位置に取り付けられた状態を維持することができる。なお、切欠き部１２ａに係合された係止片１２ｂを裏面側へ折り返せば外れにくくなる。
【００５２】
また、切欠き部１２ａと係止片１２ｂの係合力に抗して、切欠き部１２ａから係止片１２ｂを離脱すれば、販売促進シート８Ａが簡単に分離されるので、販売促進シート８Ａの着脱及び交換が容易に行える。
【００５３】
図９は、見本体２と販売促進シート８Ａの対向面の一方に縦長の孔部１３ａを形成し、該対向面の他方に前記孔部１３ａに係止されるフック１３ｂを形成した他の取り付け構造を示す部分拡大斜視図である。
【００５４】
本例の販売促進シート８Ａを幅広型見本１に取り付ける際、図中のｅ部拡大図に示すように、見本体２の両側外面に形成された孔部１３ａに、販売促進シート８Ａの両側端部に形成されたフック１３ｂを前方から差し込み、該孔部１３ａの下縁部にフック１３ｂを係止して抜止めする。
【００５５】
孔部１３ａとフック１３ｂの係合力により、幅広型見本１の上部表面に対し販売促進シート８Ａが前方に張り出した状態に取り付けられるので、前記実施例と略同等の作用及び効果を奏することができる。また、孔部１３ａからフック１３ｂを抜き取れば、販売促進シート８Ａが簡単に分離されるので、販売促進シート８Ａの着脱及び交換が容易に行える。なお、孔部１３ａを、見本体２の表面、上面等に形成してもよい。
【００５６】
図１０は、見本体２と販売促進シート８Ｂの対向面の一方に、該見本体２と販売促進シート８Ｂが互い貼着固定される両面粘着テープ１４を貼付した他の取り付け構造を示す部分拡大斜視図である。
【００５７】
本例の販売促進シート８Ｂを幅広型見本１に取り付ける際、図中のｆ部拡大図に示すように、見本体２の両側外面に販売促進シート８Ｂの両側内面を覆い被せて、見本体２の両側外面に貼付された両面粘着テープ１４に販売促進シート８Ｂの両側端部を貼着固定する。
【００５８】
両面粘着テープ１４の粘着力により、幅広型見本１の下部表面に対し販売促進シート８Ｂが前方に張り出した状態に取り付けられるので、前記実施例と略同等の作用及び効果を奏することができる。
【００５９】
また、両面粘着テープ１４の粘着力に抗して、見本体２の両側外面から販売促進シート８Ｂの両側内面を離脱すれば、販売促進シート８Ｂが簡単に分離されるので、販売促進シート８Ｂの着脱及び交換が容易に行える。なお、両面粘着テープ１４の代わりに、図示しない粘着剤を用いて取り付けてもよい。また、両面粘着テープ１４を、見本体２の表面、上面等に貼付するか、販売促進シート８Ｂの両側端部に貼付してもよい。
【００６０】
図１１〜図１３は、前方に張り出しておらず、略フラットに形成された幅広型見本１に対する販売促進シート８Ｃ〜８Ｉの他の取り付け例を示す斜視図である。  
図１１に示す見本体２の上部表面には、弧状の販売促進シート８Ｃが前方に向けて突き出した状態に取り付けられている。また、見本部４の中央表面には、帯状の販売促進シート８Ｄが巻き付けた状態に取り付けられている。また、見本部４の上部平面には、旗状の販売促進シート８Ｅが起立した状態に取り付けられている。
【００６１】
図１２に示す見本体２の上部表面には、販売促進シート８Ｆが側面から見て略半円形状に湾曲して取り付けられている。また、見本体２の下部表面には、販売促進シート８Ｇが前方に向けてへ字状に突き出した状態に取り付けられている。
【００６２】
図１３に示す見本体２の上部表面には、フラットに形成された販売促進シート８Ｈが見本体２の上部表面に沿って取り付けられている。また、見本体２の表面には、見本体２の横幅より大径に形成され、中央部に窓部８Ｉａが開口された丸形状の販売促進シート８Ｉが取り付けられている。
【００６３】
つまり、図１１〜図１３に示す販売促進シート８Ｃ〜８Ｉを、前記取り付け構造を用いて幅広型見本１に取り付けることにより、前記実施例と略同等の作用及び効果を奏することができる。
【００６４】
なお、図１２に示す見本体２の上部表面に、略半円形状に成形された販売促進シート８Ｇを取り付けてもよい。また、図１３に示す窓部８Ｉａの代わりに、販売促進シート８Ｉの中央表面を透明に形成してもよい。また、フラット形状の販売促進シート８Ｈを、見本体２に形成された見本部４の外周に係合するか、見本部４の間に差し込む等して取り付けてもよい。
【００６５】
図１４〜図１７は、見本部４と矩形見本４ａを備えた幅広型見本１に対する販売促進シート８Ｊ〜８Ｍの他の取り付け例を示す斜視図である。幅広型見本１は、正面から見て見本体２の右側表面に縦断半割り形状の見本部４が形成され、該見本体２の左側表面に縦長形状の矩形見本４ａが形成されている。  
図１４に示す販売促進シート８Ｊは、見本体２の左側表面、上部表面、下部表面が覆われる大きさ及び形状に形成されている。また、販売促進シート８Ｊの右側には、見本部４を露出するための窓部８Ｊａが開口されている。
【００６６】
図１５に示す販売促進シート８Ｋは、見本部４の上部平面及び矩形見本４ａが覆われる大きさ及び形状に形成されている。また、販売促進シート８Ｋの右側上面には、正面から見て略半円形状の表示部８Ｋａが起立した状態に形成されている。
【００６７】
図１６に示す販売促進シート８Ｌは、見本部４の上部平面及び矩形見本４ａが覆われる大きさ及び形状に形成されている。販売促進シート８Ｌの左側は、上方から見て略半円形状に湾曲され、矩形見本４ａが覆われる状態に取り付けられる。また、販売促進シート８Ｌの上端には、フラットに形成された略半円形状の表示部８Ｌａが一体的に形成されている。
【００６８】
図１７に示す販売促進シート８Ｍは、中央部に形成された折り目に沿って上方から見て三角形状に折り曲げられる。また、販売促進シート８Ｍの裏側へ折り返された両側縁部は、矩形見本４ａの表面に取り付けられる。
【００６９】
つまり、図１４〜図１７に示す販売促進シート８Ｊ〜８Ｍを、前記取り付け構造を用いて幅広型見本１に取り付けることにより、前記実施例と略同等の作用及び効果を奏することができる。また、図１６の販売促進シート８Ｌは、見本部４の外周に係合するか、見本部４の間に差し込む等して取り付けてもよい。  
なお、販売促進シート８Ａ〜８Ｍ及び表示部８Ｋａ，８Ｌａの表面には、商品に関連した販売促進情報が印刷されている。
【００７０】
この発明の構成と、前記実施形態との対応において、  
この発明の粘着手段は、両面粘着テープ１４に対応するも、  
この発明は、上述の実施形態の構成のみに限定されるものではなく、請求項に示される技術思想に基づいて応用することができ、多くの実施の形態を得ることができる。
【００７１】
前記取り付け構造を複数併用してもよく、単一の取り付け構造で取り付けるのに比べて、販売促進シート８，８Ａ〜８Ｍが確実且つ強固に取り付けられる。  
また、販売促進シート８，８Ａ〜８Ｍの他の取り付け手段として、例えばマグネット、面ファスナー、ネジ等の固定手段で固定してもよい。  
また、販売促進シート８，８Ａ〜８Ｍの複数を組み合わせて取り付けてもよい。或いは、販売促進シート８Ａ，８Ｂを、一つ又は二つの見本部４と対応する横幅に形成して、見本部４の上部、下部、前部に取り付けてもよい。
【符号の説明】
【００７２】
Ａ…自動販売機
Ａａ…見本陳列部
Ａｂ…陳列パネル
Ａｃ…開口部
１…幅広型見本
２…見本体
２ａ…開口部
３…張出し部
４…見本部
４ａ…矩形見本
５…台座部
６…第１挿入部
７…第２挿入部
８，８Ａ〜８Ｍ…販売促進シート
８ａ，８Ｉａ，８Ｊａ…窓部
８ｂ…支持部
８ｃ…係止片
８ｄ…折り目
９ａ…スリット
９ｂ…差込み片
１０ａ…突起
１０ｂ…孔部
１１ａ…凹部
１１ｂ…凸部
１２ａ…切欠き部
１２ｂ…係止片
１３ａ…孔部
１３ｂ…フック
１４…両面粘着テープ
【図１】
2010218512.tif 000003
【図２】
2010218512.tif 000004
【図３】
2010218512.tif 000005
【図４】
2010218512.tif 000006
【図５】
2010218512.tif 000007
【図６】
2010218512.tif 000008
【図７】
2010218512.tif 000009
【図８】
2010218512.tif 000010
【図９】
2010218512.tif 000011
【図１０】
2010218512.tif 000012
【図１１】
2010218512.tif 000013
【図１２】
2010218512.tif 000014
【図１３】
2010218512.tif 000015
【図１４】
2010218512.tif 000016
【図１５】
2010218512.tif 000017
【図１６】
2010218512.tif 000018
【図１７】
2010218512.tif 000019